【事件の表示】
　平成　６年特許願第２７９６４３号「紙幣搬送コンベアー」拒絶査定不服審判事件〔平成　８年　６月　４日出願公開、特開平　８−１４１２０５〕について、次のとおり審決する。
【結　論】
　本件審判の請求は、成り立たない。
【理　由】
第一、手続きの経緯
　本願は、平成６年１１月１５日の出願であって、平成１５年６月９日付けで拒絶理由が通知され、これに対し、平成１５年８月６日付けで手続補正がなされ、平成１６年２月９日付けで拒絶査定がなされ、これに対し、平成１６年３月１８日付けで審判請求がなされるとともに、平成１６年４月１９日付けで手続補正がなされたものである。　
　
第二、平成１６年４月１９日付けの手続補正についての補正却下の決定
［補正却下の決定の結論］
　平成１６年４月１９日付けの手続補正（以下、「本件補正」という。）を却下する。
　
［理由］
（第二、１）補正の目的について 
　本件補正は、平成１５年８月６日付けの手続補正により補正された特許請求の範囲の、 
 「【請求項１】　下方開口部に開閉自在なカバー部材が設けられたコンベアー本体と、
　前記コンベアー本体内に収納され該コンベアー本体全長にわたりベルト水平面が水平に支持されて回転する主動無端ベルトと、
　前記コンベアー本体内に収納され下方から前記主動無端ベルトに接して同方向に走行し玉貸機ごとに設けた複数の従動無端ベルトと、
　前記複数の従動無端ベルトに前記主動無端ベルトの駆動力をそれぞれ伝達する伝動部と、
　前記複数の従動無端ベルト間における受渡し部にそれぞれ設けた紙幣受入口と、からなり、
　前記紙幣受入口から受入れた紙幣を前記主動無端ベルトと前記従動無端ベルトとの間に挟持して搬送する際、該主動無端ベルトと該従動無端ベルトとの間に詰まった前記紙幣が前記カバー部材を開口して取り出されることを特徴とする紙幣搬送コンベアー。」 
 を以下のように補正することを含むものである。　 
 　　　 
 「【請求項１】複数のパチンコ台及び玉貸機を交互に並設して構成したパチンコ台列の前面上方部に配置された紙幣搬送コンベアーであって、
前記設置された複数のパチンコ台及び玉貸機の上方位置でかつ前方に張り出して設けられたコンベアー本体と、
前記コンベアー本体内に収納され該コンベアー本体全長にわたりベルト面を水平にして回転する主動無端ベルトと、
前記コンベアー本体内に収納され下方から前記主動無端ベルトに接して同方向に走行し玉貸機ごとに設けた複数の従動無端ベルトとを含み、
前記紙幣搬送コンベアーは、前記遊技機列前方に張り出して設けられた取付台上に固定配置され、
前記コンベアー本体は前記従動無端ベルトごとに下方開放部を有するとともに該下部開放部ごとに開閉可能なカバー板を備え、
前記主動無端ベルトと従動無端ベルトとの間に詰まった紙幣が前記コンベアー本体下部開放部の開閉カバー板を開口して下から取り出されることを特徴とする紙幣搬送コンベアー。」  
　 
　本件補正により、「前記複数の従動無端ベルトに前記主動無端ベルトの駆動力をそれぞれ伝達する伝動部」の記載、及び「前記複数の従動無端ベルト間における受渡し部にそれぞれ設けた紙幣受入口」の記載が削除され、当該「伝動部」及び「紙幣受入口」を備えていないものとなったので、「紙幣搬送コンベアー 」の構成は実質的に拡張された。　 
　したがって、本件補正は、平成６年改正前特許法第１７条の２第３項各号に規定する、請求項の削除、特許請求の範囲の減縮、誤記の訂正、及び明りょうでない記載の釈明のいずれをも目的とするものでもないことは明らかである。　
　
　（第二、２）むすび 
　以上のとおり、本件補正は、平成６年改正前特許法第１７条の２第３項各号に規定する要件を満たしておらず、特許法第１５９条第１項において読み替えて準用する同法第５３条第１項の規定により却下すべきものである。
　　　　
第三、本願発明について
　平成１６年４月１９日付けの手続補正は上記のとおり却下されたので、本願の請求項１に係る発明は、平成１５年８月６日付け手続補正書の特許請求の範囲の請求項１に記載されたとおりのものであり（以下、「本願発明」という。）、その内容は、上記（第二、１）に記載のとおりのものである。
　　
　（第三、あ）刊行物に記載された発明
　刊行物１；特開平６−１３９４３６号公報（平成６年５月２０日公開）
　周知技術を示す刊行物ア；実願昭５９−１１１４７０号
　　　　　　　　　（実開昭６１−２７１４５号）のマイクロフィルム 
　周知技術を示す刊行物イ；特公平２−１７４５４号公報
　
　原査定の拒絶理由通知に引用された、特開平６−１３９４３６号公報（以下、「引用刊行物１」という。）には、次の技術事項の記載がある。
　（１−１）「【０００１】
【産業上の利用分野】本発明は、一列に配置した複数の紙状物受入機であるメダル貸機等に投入した紙状物を搬送する紙状物搬送コンベアーに関する。」、
　（１−２）「【０００７】そこで、本発明は、上記事情に鑑みてなされたもので、紙幣などの紙状物の蛇行等がなく、構造を簡単にして、詰まった紙状物を取り除き易い紙状物搬送コンベアーを提供することを課題とする。」、
　（１−３）「【００１１】
【実施例】・・・図において、１は紙状物搬送コンベアーを示し、この紙状物搬送コンベアー１は、遊技機２及び紙状物受入機であるメダル貸機３を複数並設して構成した一つの遊技機列４ごとに設置される。すなわち、この紙状物搬送コンベアー１は、これら複数の遊技機２及びメダル貸機３の前面上方部配置してなる。
【００１２】前記遊技機列４は、これの両端に遊技機２を１台ずつ配列し、これら遊技機２のとなりにそれぞれメダル貸機３を配置し、更に、順次遊技機２を２台ごとにメダル貸機３を１台配列することで１つの遊技機列となり、この遊技機列４は、床面に強固に立設している本柱（図５、６参照）５により支持される。この遊技機列４を遊技機２及びメダル貸機３を背中合せに２列配置して、通称「島」という１つの管理体制となる。・・・」、
　（１−４）「【００１４】前記紙状物搬送コンベアー１は、駆動部１１によりコンベアー本体１２全長にわたり回動する１の主動無端ベルト１３と、該主動無端ベルト１３に接して同方向に回動しメダル貸機３ごとに設けた複数の従動無端ベルト１４と、該複数の従動無端ベルト１４に１の主動無端ベルト１３の駆動力をそれぞれ伝達する伝動部１５と、１の主動無端ベルト１３と複数の従動無端ベルト１４の上流端１６との間にそれぞれ設けた紙状物受入口１７と、からなり、水平に設置した主動無端ベルト１３及び従動無端ベルト１４との間に紙状物である紙幣１８をはさみ、紙幣１８を水平に下流側に搬送するものである。」、
　（１−５）「【００１７】以上のように構成された紙幣搬送コンベアー１は、図５、６に示すように遊技機２及びメダル貸機３の前面上方部、すなわち、本柱５の外部に設けたコ字状取付台４１上に取り付けられている。
【００１８】また、この紙状物搬送コンベアー１は、メダル貸機３が設置されている位置上方に紙幣１８を受け入れる紙状物受入口１７が設置され、この紙状物受入口１７に紙幣識別機４２が直接接続し、かつこの紙幣識別機４２は前述のコ字状取付台４１に取り付けられている。
【００１９】この紙状物搬送コンベアー１は、そのコンベアー本体１２にカバー４３が設けられ、内側が鏡面４３ａになっており、開閉自在になっている。更に、紙状物搬送コンベアー１は幕板４４により覆われ、この幕板４４は本柱５に取り付けたブラケット４５に開閉自在に取り付けられている。従って、紙幣搬送コンベアー１は、これに紙幣１８が詰まった場合、幕板４４を開き、更にカバー４３を開くことで、高い位置にあっても鏡面４３ａにより内部が良く見えるから、容易に対処することができる。・・・」、
　（１−６）「【００２１】島６における遊技機機列４のいずれかの遊技機２でゲームを行いたいと思う人は、まず、メダル貸機３に紙幣を投入して、メダルを借りる必要がある。例えば、紙幣投入口４８からメダル貸機３の紙幣識別機４２に紙幣１８を投入すると、紙幣１８はこの紙幣識別機４２を通過して、その金額に応じてメダル貸機３に払出信号が伝達され、その払出信号に基づいてメダル貸機３からメダルが払い出される。
【００２２】一方、紙幣１８が紙幣識別機４２を通過すると、紙状物搬送コンベアー１の紙幣受入口１７から中に入る。この際、紙状物搬送コンベアー１は、駆動部１１のモータ２８に電源が入っているから、プーリ２９、ベルト３０を介して駆動プーリ２１が回転し、主動無端ベルト１３が回転する。この主動無端ベルト１３の回転により、この回転力は伝動部１５を介して従動無端ベルト１４を回転させる。従って、紙幣受入口１７から中に入った紙幣１８は主動無端ベルト１３に当接し、これの回転方向に紙幣１８が湾曲して行き、従動無端ベルト１４の上流端１６に進みこれら両無端ベルト１３、１４の間に挟まり、島６の端にある紙幣回収金庫４７に搬送される。・・・
【００２３】そして、紙状物搬送コンベアー１途中で搬送中の紙幣１８が詰まったら、その位置にある幕板４４及びカバー４３を開ければ、紙状物搬送コンベアー１内がカバー４３の鏡面４３ａにより良く見え、かつ通常の大人であれば手が届く範囲であるから、回復作業を容易にできる。」。
　　
　また、（１−７）紙状物搬送コンベアーの駆動部側を示す側面図である【図３】及び紙状物搬送コンベアーの従動部側を示す側面図である【図４】には、「下方から主動無端ベルト１３に接する従動無端ベルト１４」の技術事項が示されている。
　
　ところで、上記（１−３）乃至（１−６）の記載では、符号「１７」の用語として「紙状物受入口」と「紙幣受入口」とが混用され、符号「１」の用語として「紙状物搬送コンベアー」と「紙幣搬送コンベアー」とが混用されているが、上記（１−４）の「紙状物である紙幣１８」との記載に基づけば、「紙状物受入口」は「紙幣受入口」と表現でき、「紙状物搬送コンベアー」は「紙幣搬送コンベアー」と表現できるから、紙状物を紙幣に限定して、上記（１−１）乃至（１−７）に記載の技術事項をまとめると、
　引用刊行物１には、
「開閉自在なカバー４３が設けられたコンベアー本体１２と、
　前記コンベアー本体１２全長にわたり水平に設置されて回動する１の主動無端ベルト１３と、
　下方から前記主動無端ベルト１３に接して同方向に回動しメダル貸機３ごとに設けた複数の従動無端ベルト１４と、
　前記複数の従動無端ベルト１４に前記１の主動無端ベルト１３の駆動力をそれぞれ伝達する伝動部１５と、
　メダル貸機３が設置されている位置上方に、前記１の主動無端ベルト１３と複数の従動無端ベルト１４の上流端１６との間にそれぞれ設けた紙幣受入口１７と、からなり、
　床面に立設している本柱５に取り付けたブラケット４５に開閉自在に取り付けられている幕板４４により覆われる紙幣搬送コンベアー１であって、
　前記紙幣搬送コンベアー１は、遊技機２及びメダル貸機３を複数並設して構成した一つの遊技機列４ごとに設置され、遊技機２及びメダル貸機３の前面上方部、すなわち、本柱５の外部に設けたコ字状取付台４１上に取り付けられ、　
　紙幣投入口４８からメダル貸機３の紙幣識別機４２に紙幣１８を投入すると、紙幣１８はこの紙幣識別機４２を通過して、紙状物搬送コンベアー１の紙幣受入口１７から中に入り、紙幣受入口１７から中に入った紙幣１８は主動無端ベルト１３に当接し、これの回転方向に紙幣１８が湾曲して行き、従動無端ベルト１４の上流端１６に進みこれら両無端ベルト１３、１４の間に挟まり水平に下流側に搬送され、島６の端にある紙幣回収金庫４７に搬送され、
　紙幣搬送コンベアー１途中で搬送中の紙幣１８が詰まった場合、幕板４４を開き、更にカバー４３を開くことで、カバー４３の鏡面４３ａにより紙幣搬送コンベアー１内が良く見え、かつ通常の大人であれば手が届く範囲であるから、詰まった紙幣が取り除き易く、
　紙幣の蛇行等がなく、構造を簡単にした、紙幣搬送コンベアー１。」の発明（以下、「引用発明１」という。）が記載されていると認められる。
　
　本願出願前に頒布された、実願昭５９−１１１４７０号（実開昭６１−２７１４５号）のマイクロフィルム（以下、「周知刊行物ア」という。）において、
　明細書第５頁第１行乃至第１８行には、「・・・複写機本体５の下方を覆う底蓋１８は手前側のハンドル１９の手動操作によって開放できるもので、・・・機内に複写紙ａが“ジャム”状態になった場合、ハンドル１９を操作すると、底蓋１８が第１図の仮想線示のように開放する。したがって、 “ジャム”状態の複写紙は底蓋１８の上面に乗った状態となるか、傾斜した同上面に沿って外部に滑落するので、簡単に“ジャム”処理を行って迅速に復旧できる。・・・」と、記載されている。
　　
　したがって、複写機の断面図である【第１図】に示された「底蓋１８が複写機本体５の下方向に開放」の技術事項とを併せると、
　周知刊行物アには、
「複写紙ａが“ジャム”状態になった場合、複写機本体の下方を覆う底蓋１８を下方向に開放させ、複写機本体の下方から“ジャム”処理を行うことができる、複写機。」の発明（以下、「周知発明ア」という。）が記載されていると認められる。
　
　本願出願前に頒布された、特公平２−１７４５４号公報（以下、「周知刊行物イ」という。）において、
　第３頁第５欄第１０行乃至第１６行には、「・・・そして、ロツク機構を解除して、第４図のような状態に保持した後に、下扉２４を支軸２３の回りに回転して開放できるようになつている。
  このような方法により底部の下扉２４を開閉するときは、複写機本体を起立させる必要なくジヤム処理等が行われるものである。」と、記載されている。
　
　したがって、断面図である【第４図】に示された「下扉２４が複写機本体の下方向に開放」の技術事項とを併せると、
　周知刊行物イには、
「複写機本体底部の下扉２４を下方向に開閉するときは、複写機本体の下方向からジヤム処理等が行われる、複写機。」の発明（以下、「周知発明イ」という。）が記載されていると認められる。
　　
　（第三、い）本願発明と引用発明１との比較・検討
　（い、１）引用発明１の「カバー４３」は、本願発明の「カバー部材」に相当し、以下同様に、「コンベアー本体１２」は「コンベアー本体」に、「１の主動無端ベルト１３」は「主動無端ベルト」に、「同方向に回動し」は「同方向に走行し」に、「メダル貸機３」は「玉貸機」に、「従動無端ベルト１４」は「従動無端ベルト」に、「伝動部１５」は「伝動部」に、「紙幣受入口１７」は「紙幣受入口」に、「紙幣受入口１７から中に入った紙幣１８」は「紙幣受入口から受入れた紙幣」に、「両無端ベルト１３、１４の間に挟まり水平に下流側に搬送」は「挟持して搬送する」に、「カバー４３を開く」は「カバー部材を開口」に、「取り除き」は「取り出され」に、「紙幣搬送コンベアー１」は「紙幣搬送コンベアー」に、それぞれ相当する。
　（い、２）引用発明１の「水平に設置されて回動する１の主動無端ベルト１３」という技術事項は、そのベルト面が水平に設置されているのは明らかであるから、本願発明の「ベルト水平面が水平に支持されて回転する主動無端ベルト」という技術事項に相当する。
　（い、３）引用発明１の「メダル貸機３が設置されている位置上方に、前記１の主動無端ベルト１３と複数の従動無端ベルト１４の上流端１６との間にそれぞれ設けた紙幣受入口１７」について検討する。
　引用発明１においては、紙幣受入口１７から中に入った紙幣１８は、従動無端ベルト１４の上流端１６に進み主動無端ベルト１３及び従動無端ベルト１４の間に挟まり下流側に搬送され、島６の端にある紙幣回収金庫４７に搬送されるのであるが、メダル貸機３は複数並設されていること、及び１の主動無端ベルト１３に接する従動無端ベルト１４は、メダル貸機３ごとに複数設けられていること、並びに紙幣１８は、最も下流側である島６の端にある紙幣回収金庫４７に搬送されることを考慮すれば、引用発明１の「紙幣受入口１７」は、上流側の従動無端ベルト１４の下流端と、下流側の従動無端ベルト１４の上流端との間に設けられていること、及び紙幣１８が上流側の従動無端ベルト１４から下流側の従動無端ベルト１４へ受け渡されることは明らかである。そうすると、上記引用発明１の「メダル貸機３が設置されている位置上方に、前記１の主動無端ベルト１３と複数の従動無端ベルト１４の上流端１６との間にそれぞれ設けた紙幣受入口１７」との事項は本願発明の「複数の従動無端ベルト間における受渡し部にそれぞれ設けた紙幣受入口」との事項と技術的に同義であるといえる。
　
　そうすると、両者の一致点及び相違点は次のとおりである。
　
　一致点
　開閉自在なカバー部材が設けられたコンベアー本体と、
　前記コンベアー本体全長にわたりベルト水平面が水平に支持されて回転する主動無端ベルトと、
　下方から前記主動無端ベルトに接して同方向に走行し玉貸機ごとに設けた複数の従動無端ベルトと、
　前記複数の従動無端ベルトに前記主動無端ベルトの駆動力をそれぞれ伝達する伝動部と、
　前記複数の従動無端ベルト間における受渡し部にそれぞれ設けた紙幣受入口と、からなり、
　前記紙幣受入口から受入れた紙幣を前記主動無端ベルトと前記従動無端ベルトとの間に挟持して搬送する際、該主動無端ベルトと該従動無端ベルトとの間に詰まった前記紙幣が前記カバー部材を開口して取り出されることを特徴とする紙幣搬送コンベアー。　
　
　相違点Ａ
　開閉自在なカバー部材が、本願発明ではコンベアー本体の下方開口部に設けられたのに対し、引用発明１ではコンベアー本体に設けられた点
　相違点Ｂ
　主動無端ベルト及び従動無端ベルトが、本願発明ではコンベアー本体内に収納されているのに対し、引用発明１ではコンベアー本体内に収納されているかどうか明らかでない点　
　
　そこで、上記相違点について検討する。
　相違点Ａについて　　
　作業対象物本体にカバー部材が設けられ、該カバー部材を開口して開口部内の作業を行う場合に、該カバー部材及び開口部を作業対象物本体のどこに設けるかは、カバー部材開閉時の必要空間や作業時の容易性などを考慮して、当業者が適宜決定できる設計上の事項である。また、カバー部材を作業対象物本体の下方に設けることが、例えば周知発明アに示された「底蓋１８」及び周知発明イに示された「下扉２４」のように周知・慣用であることを併せて考慮すれば、上記の相違点Ａに係る構成とすることは、当業者が容易になし得ることである。
　相違点Ｂについて　　
　主動無端ベルト及び従動無端ベルトをコンベアー本体内に収納させることは、被搬送物の性状及び価値、稼働時の安全性及び静粛性等を考慮して、当業者が適宜なし得る設計上の事項であるから、相違点Ｂに係る構成とすることは、当業者が容易になし得ることである。
　
　そして、効果の点においても、引用発明１は「紙幣の蛇行等がなく、構造を簡単にして、詰まった紙幣を取り除き易い」ものであるから、本願発明が格別の効果を有するとは認められない。
　　　
　（第三、う）むすび
　以上のとおり、本願発明は、引用発明１及び周知・慣用の技術に基づいて、当業者が容易に発明をすることができたものであるから、特許法第２９条第２項の規定により特許を受けることができない。
　よって、結論のとおり審決する。